(57)【要約】本発明は、床上張り及び／又は壁上張りを形成するための上張り素子であって、上張り素子の互いに直角な２つの縁辺からその載置例と同一面をなして突出する結合桟片（５，６）、前記縁辺に対向する縁辺にあって床上張り及び／又は壁上張りにおいて前記上張り素子に隣接するこのような上張り素子の結合桟片（５，６）を受入れるため結合桟片（５，６）に一致する段付き凹所（７，８）、及び結合桟片（５，６）を受入れる段付き凹所（７，８）内に結合桟片（５，６）を固定する装置を有するものに関する。本発明によれば、結合桟片（５，６）の突出する長さが上張り素子の厚さの数倍である。
2014522929.tif 000002
【特許請求の範囲】
【請求項１】
床上張り及び／又は壁上張りを形成するための上張り素子であって、上張り素子の互いに直角な２つの縁辺からその載置例と同一面をなして突出する結合桟片（５，６）、前記縁辺に対向する縁辺にあって床上張り及び／又は壁上張りにおいて前記上張り素子に隣接するこのような上張り素子の結合桟片（５，６）を受入れるため結合桟片（５，６）に一致する段付き凹所（７，８）、及び結合桟片（５，６）を受入れる段付き凹所（７，８）内に結合桟片（５，６）を固定する装置を有するものにおいて、結合桟片（５，６）の突出する長さが上張り素子の厚さより大きいことを特徴とする、上張り素子。
【請求項２】
結合桟片（５，６）の突出する長さが上張り素子の厚さの少なくとも係数１．２なるべく１．５だけ大きいことを特徴とする、請求項１に記載の上張り素子。
【請求項３】
結合桟片（５，６）の突出する長さが上張り素子の厚さの数倍であり、隣接する上張り素子の段付き凹所内に結合桟片がその半分の幅まで延びていることを特徴とする、請求項１又は２に記載の上張り素子。
【請求項４】
結合桟片（５，６）及び／又は段付き凹所（７，８）が、側方にずれて上張り素子の関係する縁辺の全長又は長さの一部にわたって延びていることを特徴とする、請求項１〜３の１つに記載の上張り素子。
【請求項５】
上張り素子が上側の装飾層（１）、支持層（２）、及び装飾層を支持層に結合するなるべく発泡付着されるか又は吹付けられる中間層（３）を持っていることを特徴とする、請求項１〜４の１つに記載の上張り素子。
【請求項６】
装飾層の周りを取巻く縁囲い（４）が設けられて、なるべく結合桟片（５，６）及び場合によっては段付き凹所（７，８）の内張り（９）と一体に結合されていることを特徴とする、請求項５に記載の上張り素子。
【請求項７】
結合桟片（５，６）及び場合によっては内張り（９）が、なるべく一体に、中間層（３）に一体形成特に一体発泡又は吹付けられていることを特徴とする、請求項５又は６に記載の上張り素子。
【請求項８】
床上張り及び／又は壁上張りに上張り素子を互いに水平及び垂直に固定するための固定装置が設けられていることを特徴とする、請求項１〜７の１つに記載の上張り素子。
【請求項９】
固定装置が、関係する縁辺に対して平行な少なくとも１つの結合溝（１０，１２，１３；２０，２３，２８）及び／又は差込み穴列を、床上張り及び／又は壁上張りに隣接する上張り素子の結合ウエブ（１６，１７，１８；２１；２９，３０）又は差込みほぞの係合のために持っていることを特徴とする、請求項１〜８の１つに記載の上張り素子。
【請求項１０】
結合ウエブ（１６，１７，１８；２１；２９，３０）又は差込みほぞが、結合溝又は差込み穴内に係止可能及び／又は締付け可能であることを特徴とする、請求項９に記載の上張り素子。
【請求項１１】
結合桟片（５，６）の基部範囲に、結合桟片を形成する材料の集積（１１）が設けられていることを特徴とする、請求項１〜１０の１つに記載の上張り素子。
【請求項１２】
場合によっては複数の結合溝の１つ（１０；２０；２３）が、結合桟片（５，６）の基部範囲に設けられ、結合溝（１０；２０；２３）がなるべく材料集積（１１）の中へ延びていることを特徴とする、請求項９〜１１の１つに記載の上張り素子。
【請求項１３】
基部範囲に設けられる結合溝（２０）へ、隣接する上張り素子の結合ウエブ（２１）が、上張り素子の揺動運動でかぎ止め可能であることを特徴とする、請求項１２に記載の上張り素子。
【請求項１４】
取巻く縁囲い（４）が、上張り素子の互いに直角な２つの縁辺にウエブ突起（１４；２４，２５）を持ち、かつこれらの縁辺に対向する縁辺に溝（１５；２６，３７）を持っていることを特徴とする、請求項８〜１３の１つに記載の上張り素子。
【発明の詳細な説明】
【技術分野】
【０００１】  本発明は、床上張り及び／又は壁上張りを形成するための上張り素子であって、上張り素子の互いに直角な２つの縁辺からその載置例と同一面をなして突出する結合桟片、前記縁辺に対向する縁辺にあって床上張り及び／又は壁上張りにおいて前記上張り素子に隣接するこのような上張り素子の結合桟片を受入れるため結合桟片に一致する段付き凹所、及び結合桟片を受入れる段付き凹所内に結合桟片を固定する装置を有するものに関する。
【背景技術】
【０００２】  このような種類の上張り素子は国際出願第ＰＣＴ／ＥＰ２００４／０１１８４３号から公知である。このような上張り素子から形成される上張りが荷重を受ける際、特に上張り素子の下地が平らでなくかつ全厚が小さい場合、上張り素子の間の結合個所で、結合される上張りが口を開くことがある。
【発明の概要】
【発明が解決しようとする課題】
【０００３】  本発明の基礎になっている課題は、一層大きく荷重をかけることができる上張りから、最初にあげた種類の新しい上張り素子を創造することである。
【課題を解決するための手段】
【０００４】  本発明によりこの課題を解決する上張り素子は、結合桟片の突出する長さが上張り素子の厚さより大きいことを特徴としている。【０００５】  結合桟片の本発明による幅広い構成によって、強められるレバー作用のため、結合個所において上張りが口を開くのを防止する一層大きい保持力が生じる。垂直な軸線の周りにおける上張り素子のねじれ、水平な軸線の周りにおける上張り素子の揺動運動も防止される。【０００６】  本発明の好ましい実施形態では、結合桟片の突出する長さが上張り素子の厚さの少なくとも係数１．２なるべく１．５だけ大きい。増大する重なり長さにより、上張り素子から製造される上張りの安定性が高まる。【０００７】  本発明の実施形態では、結合桟片の突出する長さが上張り素子の厚さの数倍であり、隣接する上張り素子の段付き凹所内に結合桟片がその半分の幅まで延びている。後者の場合、２つの層で板を敷設するのと同じ補強効果が得られ、その際１つの層の板は他の層の４つの板と重なり、これらの板に結合されている。【０００８】  なるべく結合桟片及び／又は段付き凹所が、側方にずれて上張り素子の関係する縁辺の全長又は長さの一部にわたって延びている。【０００９】  １つの実施形態において、上張り素子が上側の装飾層、上張り素子に安定性を与える支持層、及び装飾層を支持層に結合するなるべく発泡付着されるか又は吹付けられる中間層を持っている。装飾層及び支持層は、例えば接着により直接互いに結合することもできる。【００１０】  更に装飾層の周りを取巻き場合によっては装飾層に一体発泡されるか又は吹付けられる縁囲いが設けられて、なるべく結合桟片及び場合によっては段付き凹所の内張りと一体に結合されているのがよい。【００１１】  結合桟片及び場合によっては内張りは、なるべく一体に、中間層に一体に形成されている。【００１２】  本発明の別の有利な構成では、床上張り及び／又は壁上張りに上張り素子を互いに水平及び垂直に固定するための固定装置が設けられている。【００１３】  固定装置が、関係する縁辺に対して平行な少なくとも１つの結合溝及び／又は差込み穴列を、床上張り及び／又は壁上張りに隣接する上張り素子の結合ウエブ又は差込みほぞの係合のために持っているのがよい。【００１４】  結合ウエブ又は差込みほぞが、結合溝又は差込み穴内に係止可能及び／又は締付け可能である。【００１５】  本発明の別の構成では、結合桟片の基部範囲に、結合桟片を形成する材料の集積が設けられている。これは、結合桟片の基部範囲における結合溝の形成を有利に可能にし、その際結合溝は材料集積の中へ延びている。【００１６】  基部範囲に設けられる結合溝へ、隣接する上張り素子の結合ウエブが、上張り素子の揺動運動でかぎ止め可能である。【００１７】  本発明の別の構成では、取巻く縁囲いが、上張り素子の互いに直角な２つの縁辺にウエブ突起を持ち、かつこれらの縁辺に対向する縁辺に溝を持っている。【００１８】  本発明が、複数の実施例及びこれらの実施例に関する添付図面により、以下に説明される。
【図面の簡単な説明】
【００１９】
【図１】  本発明による上張り素子を平面図及び切断された側面図で示す。
【図２】  図１の上張り素子の部分図を示す。
【図３】  図１による上張り素子の敷設を説明する図を示す。
【図４】  本発明による上張り素子の敷設を説明する別の部分図を示す。
【図５】  本発明による上張り素子の敷設を説明する別の部分図を示す。
【図６】  先行する図により床上張り及び／又は壁上張りの製造を説明する図を示す。
【図７】  先行する図による上張り素子から成る床上張り及び／又は壁上張りを示す。
【図８】  実施例として示す異なる固定素子を持つ本発明による別の上張り素子を示す。
【図９】  本発明による上張り素子から製造される床上張り及び／又は壁上張りの縁構造を示す。
【発明を実施するための形態】
【００２０】  図１に示す上張り素子は、例えばセラミック原料板又は石材料板から成る装飾層１、例えばプラスチックリサイクル材料から製造される支持層２、及び装飾層１と支持層２との間に設けられる中間層３を含んでいる。図示した実施例では、中間層３は、工具を使用して装飾層１及び支持層２に吹付けられるか一体発泡され、ＰＵフォームから成っている。
【００２１】  中間層３には、吹付け又は一体発泡中に、装飾層１の周りを囲繞する縁囲い４が一体成型され、更に上張り素子の互いに直角な２つの縁辺にそれぞれ結合桟片５及び６が一体成形されている。
【００２２】  結合桟片５及び６を持つ縁辺に対向する縁辺に、段付き凹所７及び８が形成されて、中間層３及び取巻く縁囲い４に一体に発泡される複数の内張りを持ち、そのうち図１ｂには内張り９が見える
【００２３】  結合桟片５，６及びこれに対して相補的な段付き凹所７，８は、上張り素子のそれぞれ関係する縁辺の全長にわたってそれぞれ側方にずれて延びている。
【００２４】  上張り素子の載置側に対して同一面をなす結合桟片５，６は、基部範囲に例えば断面を丸められた結合溝１０を持ち、この結合溝１０は、結合桟片５，６の基部に結合桟片の材料から形成される材料集積１１の中へ延びている。関係する縁辺に対して平行な結合溝１０のそばに、結合桟片５，６の各々は、互いにかつ縁辺に対して平行な結合溝１２及び１３を持ち、そのうち結合溝１２は実施例では長方形断面を持ち、結合溝１３は丸められた断面によりアンダカットされている。取巻く縁囲い４には、互いに直角な２つの縁辺にわたって延びるウエブ突起１４が形成されている。ウエブ突起１４には、前記縁辺に対向する縁囲い４の縁辺にある溝１５が断面で一致している（図３ａ）。
【００２５】  結合溝１０には、関係する結合溝に対向する上張り素子の縁辺の段付き凹所にある丸められた差込みほぞ１６が一致し、結合溝１２には差込みほぞ１７が一致し、結合溝１３には差込みほぞ１８が一致する。
【００２６】  前述した上張り素子が床面又は壁面上の上張りを形成するため、上張り素子が図３ａ及び図６に示すようにつなぎ合わされ、その際結合桟片５，６が隣接する上張り素子の段付き凹所７，８を満たす。その際差込みほぞ１６及び１８が結合溝１０及び１３へはまる。床上張り及び壁上張りにおいて隣接する上張り素子は、こうして水平及び垂直に固定される。結合溝１２へ導入される差込みほぞ１７は、水平な固定のみを行う。溝１５へ押入るウエブ１４は隣接する上張り素子の互いに突合わさる縁囲い４の間の密封を行う。
【００２７】  上張り素子の厚さより大きい結合桟片５，６の幅は、床上張り及び／又は壁上張りにある上張り素子の安定で口を開かない結合を行う。結合桟片５，６は床面１９又は壁面１９上に同一面をなして載り、段付き凹所７，８は結合桟片５，６により完全に満たされる。上張り素子の間の結合は垂直になお負荷可能である。上張り素子は水平な軸線の周りにも垂直な軸線の周りのもねじ曲げることができない。
【００２８】  次の実施例において、同じか又は同じ作用する部分は、先の実施例におけるのと同じ数位符号で示され、関係する数に文字ａ，ｂ等を添えられている。
【００２９】  図４の実施例は、断面がほぼ丸い結合溝１０の代わりに、かぎ状結合ウエブ２１の導入に適した結合溝２０が設けられているという点で、先行する実施例とは相違している。既に敷設された上張り素子に、矢印２２により示される揺動運動の進行中に別の上張り素子が付けられる。最終段階において、差込みほぞ１８ａが結合溝１３ａへはまる。
【００３０】  図５ａに示す実施例では、結合桟片の基部範囲に台形状断面を持つ結合溝２３が形成され、この断面に、対向する段付き凹所に対応して形成される差込みほぞ３０が一致している。互いに直角な縁辺にある縁囲い４ｂに形成されるウエブ突起２４及び２５は、逆かぎ状に形成されている。対応する溝２６，２７は、関係する縁辺に対向する縁辺にあって取巻く縁囲い４ｂに形成されている。結合桟片の自由端に近い別の結合溝２８は、アンダカットされている。段付き凹所もあり対応する差込みほぞ２９がこの結合溝にはまる。
【００３１】  図８は、結合溝及び差込みほぞの代わりに、丸いほぞ及び対応する穴列を使用できることを示し、図８には４つの異なる形状のほぞ３１〜３４が示されている。
【００３２】  前述した上張り素子から製造される床上張り及び／又は壁上張りの側方限界のために、図９に示す傾斜縁３５，３６を用いることができ、その際傾斜縁３５は結合桟片の縁辺に、また傾斜縁３６は段付き凹所の縁辺に使用可能である。
【図１（ａ）】
2014522929.tif 000003
【図１（ｂ）】
2014522929.tif 000004
【図２】
2014522929.tif 000005
【図３（ａ）】
2014522929.tif 000006
【図３（ｂ）】
2014522929.tif 000007
【図４（ａ）】
2014522929.tif 000008
【図４（ｂ）】
2014522929.tif 000009
【図５（ａ）】
2014522929.tif 000010
【図５（ｂ）】
2014522929.tif 000011
【図６】
2014522929.tif 000012
【図７】
2014522929.tif 000013
【図８】
2014522929.tif 000014
【図９（ａ）】
2014522929.tif 000015
【図９（ｂ）】
2014522929.tif 000016
【国際調査報告】
2014522929.tif 000017
2014522929.tif 000018
2014522929.tif 000019
2014522929.tif 000020
2014522929.tif 000021
2014522929.tif 000022
2014522929.tif 000023
2014522929.tif 000024
2014522929.tif 000025
2014522929.tif 000026